【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
第１ボディ接点と第２ボディ接点とを備え、前記第２ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付部と、
前記取付部を介して前記カメラボディに装着されているときに、前記カメラボディと通信動作を行うアクセサリー側通信制御部と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記通信動作を抑止する期間において、前記カメラボディに対して前記第１の真理値に対応するレベルの信号が出力される第２アクセサリー接点と、
を備え、
前記アクセサリー側通信制御部は、前記第１アクセサリー接点を介して前記カメラボディから前記動作電圧が供給されている場合には、前記第２アクセサリー接点に前記第１の真理値に対応するレベルの信号が出力される継続時間を前記所定時間未満に制御するアクセサリー。
【請求項２】
第１ボディ接点と第２ボディ接点とを備え、前記第２ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付部と、
前記取付部を介して前記カメラボディに装着されているときに、前記カメラボディと通信動作を行うアクセサリー側通信制御部と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記通信動作を抑止する期間において、前記カメラボディに対して前記第１の真理値に対応するレベルの信号が出力される第２アクセサリー接点と、
を備え、
前記アクセサリー側通信制御部は、前記第１アクセサリー接点を介して前記カメラボディから前記動作電圧が供給されている場合には、前記カメラボディから前記アクセサリーが取り外されていると検出させないような前記信号を、前記第２アクセサリー接点から出力させるように制御するアクセサリー。
【請求項３】
第１ボディ接点と第２ボディ接点とを備え、前記第２ボディ接点の信号レベルが所定時間以上連続して第１の真理値に対応する信号レベルである場合にはアクセサリーが取り外されていることを検知するカメラボディに対し、着脱可能なアクセサリーであって、
前記カメラボディに対して着脱可能に取り付けられる取付部と、
前記取付部を介して前記カメラボディに装着されているときに、前記カメラボディと通信動作を行うアクセサリー側通信制御部と、
前記カメラボディに装着されているときに前記第１ボディ接点に接続され、前記カメラボディから動作電圧の供給を受ける第１アクセサリー接点と、
前記カメラボディに装着されているときに前記第２ボディ接点に接続され、前記通信動作を抑止する期間において、前記カメラボディに対して前記第１の真理値に対応するレベルの信号が出力される第２アクセサリー接点と、
を備え、
前記アクセサリー側通信制御部は、前記第１アクセサリー接点を介して前記カメラボディから前記動作電圧が供給されている場合には、前記カメラボディから前記アクセサリーが取り外されていると前記カメラボディに認識させないように、前記第２アクセサリー接点からの前記信号の出力を制御するアクセサリー。
【請求項４】
請求項１〜３のいずれか一項に記載のアクセサリーにおいて、
前記アクセサリー側通信制御部は、前記第１アクセサリー接点を介して前記カメラボディから前記動作電圧が供給され、且つ前記アクセサリー側通信制御部により前記通信動作が行われている場合には、前記第２アクセサリー接点に前記第１の真理値とは異なる第２の真理値に対応するレベルの信号を出力するアクセサリー。
【請求項５】
請求項１〜４のいずれか一項に記載のアクセサリーにおいて、
前記第２アクセサリー接点は、前記アクセサリー内においてプルダウン抵抗を介して接地されるアクセサリー。
【請求項６】
第１アクセサリー接点と第２アクセサリー接点とを有するアクセサリーが、着脱可能に取り付けられる取付部と、
前記取付部を介して前記アクセサリーが装着されているときに、前記アクセサリーと通信動作を行うボディ側通信制御部と、
前記アクセサリーに装着されているときに前記第１アクセサリー接点に接続され、前記アクセサリーに対して動作電圧を供給する第１ボディ接点と、
前記アクセサリーに装着されているときに前記第２アクセサリー接点に接続され、前記通信動作を抑止する期間において、前記アクセサリーから第１の真理値に対応するレベルの信号が入力される第２ボディ接点と、
前記第２ボディ接点の信号レベルが所定時間以上連続して前記第１の真理値に対応する信号レベルである場合には前記アクセサリーが取り外されていることを検知する着脱検知部と、
を備え、
前記ボディ側通信制御部は、前記取付部に前記アクセサリーが取り付けられている場合、前記第２ボディ接点を介して、前記所定時間以上連続して前記第１の真理値に対応する信号レベルになることのない前記信号を受信するカメラボディ。
【請求項７】
請求項６に記載のカメラボディにおいて、
前記ボディ側通信制御部は、前記ボディ側通信制御部により前記通信動作が行われている場合には、前記第２ボディ接点から前記第１の真理値とは異なる第２の真理値に対応するレベルの信号を受信し、前記通信動作を行っていない場合には、前記第２ボディ接点から前記第１の真理値に対応するレベルの信号を受信するカメラボディ。
【請求項８】
カメラボディと、前記カメラボディに対して着脱が可能なアクセサリーと、から成るカメラシステムであって、
前記カメラボディは、
前記アクセサリーと通信動作とを行うボディ側通信制御手段部と、
前記アクセサリーに対して動作電圧を供給する第１ボディ接点と、
前記通信動作を抑止する期間において、前記アクセサリーから第１の真理値に対応するレベルの信号が入力される第２ボディ接点と、
前記第２ボディ接点の信号レベルが所定時間以上連続して前記第１の真理値に対応する信号レベルである場合には前記アクセサリーが取り外されていることを検知する着脱検知部と、
を備え、
前記アクセサリーは、
前記第１ボディ接点に接続される第１アクセサリー接点と、
前記第２ボディ接点に接続される第２アクセサリー接点と、
前記カメラボディと通信動作を行うアクセサリー側通信制御部と、
を備え、
前記アクセサリー側通信制御部は、前記第１アクセサリー接点を介して前記カメラボディから前記動作電圧が供給されている場合には、前記第２アクセサリー接点に前記第１の真理値に対応するレベルの前記信号が出力される継続時間を前記所定時間未満に制御するカメラシステム。
【請求項９】
請求項８に記載のカメラシステムにおいて、
前記アクセサリー側通信制御部は、前記第１アクセサリー接点を介して前記カメラボディから前記動作電圧が供給され、且つ前記アクセサリー側通信制御部により前記通信動作が行われている場合には、前記第２アクセサリー接点に前記第１の真理値とは異なる第２の真理値に対応するレベルの信号を出力し、前記通信動作を行っていない場合には、前記第２アクセサリー接点に前記第１の真理値に対応するレベルの信号を出力するカメラシステム。
【請求項１０】
請求項８または９に記載のカメラシステムにおいて、
前記第２アクセサリー接点は、前記アクセサリー内においてプルダウン抵抗を介して接地されるカメラシステム。
【請求項１１】
請求項１〜５のいずれか一項に記載のアクセサリーにおいて、
前記アクセサリーは、前記カメラボディに着脱可能な交換レンズであるアクセサリー。
【請求項１２】
請求項１〜５のいずれか一項に記載のアクセサリーにおいて、
前記アクセサリーは、
２つのマウント部を備え、
前記２つのマウント部のうちの一方のマウント部において前記カメラボディを着脱可能であり、且つ前記カメラボディに着脱不能な交換レンズを前記他方のマウント部において着脱可能な中間アクセサリーであるアクセサリー。
【手続補正２】
【補正対象書類名】明細書
【補正対象項目名】０００５
【補正方法】変更
【補正の内容】
【０００５】
請求項１に係る発明は、第１ボディ接点と第２ボディ接点とを備え、第２ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付部と、取付部を介してカメラボディに装着されているときに、カメラボディと通信動作を行うアクセサリー側通信制御部と、カメラボディに装着されているときに第１ボディ接点に接続され、カメラボディから動作電圧の供給を受ける第１アクセサリー接点と、カメラボディに装着されているときに第２ボディ接点に接続され、通信動作を抑止する期間において、カメラボディに対して第１の真理値に対応するレベルの信号が出力される第２アクセサリー接点と、を備え、アクセサリー側通信制御部は、第１アクセサリー接点を介してカメラボディから動作電圧が供給されている場合には、第２アクセサリー接点に第１の真理値に対応するレベルの信号が出力される継続時間を所定時間未満に制御するアクセサリーである。
請求項２に係る発明は、第１ボディ接点と第２ボディ接点とを備え、第２ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付部と、取付部を介してカメラボディに装着されているときに、カメラボディと通信動作を行うアクセサリー側通信制御部と、カメラボディに装着されているときに第１ボディ接点に接続され、カメラボディから動作電圧の供給を受ける第１アクセサリー接点と、カメラボディに装着されているときに第２ボディ接点に接続され、通信動作を抑止する期間において、カメラボディに対して第１の真理値に対応するレベルの信号が出力される第２アクセサリー接点と、を備え、アクセサリー側通信制御部は、第１アクセサリー接点を介してカメラボディから動作電圧が供給されている場合には、カメラボディからアクセサリーが取り外されていると検出させないような信号を、第２アクセサリー接点から出力させるように制御するアクセサリーである。
請求項３に係る発明は、第１ボディ接点と第２ボディ接点とを備え、第２ボディ接点の信号レベルが所定時間以上連続して第１の真理値に対応する信号レベルである場合にはアクセサリーが取り外されていることを検知するカメラボディに対し、着脱可能なアクセサリーであって、カメラボディに対して着脱可能に取り付けられる取付部と、取付部を介してカメラボディに装着されているときに、カメラボディと通信動作を行うアクセサリー側通信制御部と、カメラボディに装着されているときに第１ボディ接点に接続され、カメラボディから動作電圧の供給を受ける第１アクセサリー接点と、カメラボディに装着されているときに第２ボディ接点に接続され、通信動作を抑止する期間において、カメラボディに対して第１の真理値に対応するレベルの信号が出力される第２アクセサリー接点と、を備え、アクセサリー側通信制御部は、第１アクセサリー接点を介してカメラボディから動作電圧が供給されている場合には、カメラボディからアクセサリーが取り外されているとカメラボディに認識させないように、第２アクセサリー接点からの信号の出力を制御するアクセサリーである。
請求項６に係る発明は、第１アクセサリー接点と第２アクセサリー接点とを有するアクセサリーが、着脱可能に取り付けられる取付部と、取付部を介してアクセサリーが装着されているときに、アクセサリーと通信動作を行うボディ側通信制御部と、アクセサリーに装着されているときに第１アクセサリー接点に接続され、アクセサリーに対して動作電圧を供給する第１ボディ接点と、アクセサリーに装着されているときに第２アクセサリー接点に接続され、通信動作を抑止する期間において、アクセサリーから第１の真理値に対応するレベルの信号が入力される第２ボディ接点と、第２ボディ接点の信号レベルが所定時間以上連続して第１の真理値に対応する信号レベルである場合にはアクセサリーが取り外されていることを検知する着脱検知部と、を備え、ボディ側通信制御部は、取付部にアクセサリーが取り付けられている場合、第２ボディ接点を介して、所定時間以上連続して第１の真理値に対応する信号レベルになることのない信号を受信するカメラボディである。
請求項８に係る発明は、カメラボディと、カメラボディに対して着脱が可能なアクセサリーと、から成るカメラシステムであって、カメラボディは、アクセサリーと通信動作とを行うボディ側通信制御手段部と、アクセサリーに対して動作電圧を供給する第１ボディ接点と、通信動作を抑止する期間において、アクセサリーから第１の真理値に対応するレベルの信号が入力される第２ボディ接点と、第２ボディ接点の信号レベルが所定時間以上連続して第１の真理値に対応する信号レベルである場合にはアクセサリーが取り外されていることを検知する着脱検知部と、を備え、アクセサリーは、第１ボディ接点に接続される第１アクセサリー接点と、第２ボディ接点に接続される第２アクセサリー接点と、カメラボディと通信動作を行うアクセサリー側通信制御部と、を備え、アクセサリー側通信制御部は、第１アクセサリー接点を介してカメラボディから動作電圧が供給されている場合には、第２アクセサリー接点に第１の真理値に対応するレベルの信号が出力される継続時間を所定時間未満に制御するカメラシステムである。